(57)【要約】視覚的且つ直観的な表示画像の操作を可能にした画像表示装置を提供する。予め記憶された複数の画像をボタン又はポインティングディバイスにより操作して選択表示する表示画像操作手段と、複数の画像を前面から後面へと衝立状に配置した中央の第１画像グループとその両側にその一部が表示されるように第１画像グループと同様に所定の間隔で配置した第２及び第３画像グループとを同一表示画面上に遠近法を用いて３次元的に表示する画像表示手段と、を備える。
2007069471.tif 000002
【特許請求の範囲】
【請求項１】
予め記憶された複数の画像をボタン又はポインティングディバイスにより操作して選択表示する表示画像操作手段と、
複数の画像を前面から後面へと衝立状に配置した中央の第１画像グループと、複数の画像を前面から後面へと衝立状に配置しその一部が表示されるように該第１の画像グループの両側に所定の間隔で配置した第２及び第３画像グループと、を同一表示画面上に遠近法を用いて３次元的に表示する画像表示手段と、を備えることを特徴とする画像表示装置。
【請求項２】
前記第１画像グループの最前面の画像に関連付けされた、少なくとも画像を特定する名称、日付、及び何枚目の画像であるかの画像番号を、表示画面の一部に表示する属性情報表示手段を備えることを特徴とする請求項１に記載の画像表示装置。
【請求項３】
複数の画像で構成され中央に配置された前記第１画像グループのグループ名を表示画面の一部に表示するグループ名表示手段を備えることを特徴とする請求項１に記載の画像表示装置。
【請求項４】
複数の画像を選択操作するための操作ボタンが十字状に４つ配置され、左又は右操作ボタンの操作により前記第１画像グループを左側又は右側の位置にアニメーション表示により移動して新たな第２又は第３画像グループとして表示し、前記第２又は第３画像グループを中央の位置にアニメーション表示により移動して新たな第１画像グループとして表示する画像グループ移動手段を備えることを特徴とする請求項１に記載の画像表示装置。
【請求項５】
複数の画像を選択操作するための操作ボタンが十字状に４つ配置され、上又は下操作ボタンの操作により前記第１乃至第３画像グループのそれぞれの画像を後面から前面又は前面から後面へとアニメーション表示により移動する画像移動手段を備えることを特徴とする請求項１に記載の画像表示装置。
【請求項６】
前記画像移動手段は、上又は下操作ボタンが押されて所定時間経過後、操作ボタンが押し続けられる間、前記第１乃至第３画像グループのそれぞれの画像を後面から前面又は前面から後面へ自動的に移動することを特徴とする請求項５に記載の画像表示装置。
【請求項７】
複数の画像を選択操作するための十字状に配置された４つの操作ボタンの中央に第５操作ボタンが設けられ、該中央の第５操作ボタンの操作によって前記第２及び第３画像グループを非表示にし、前記第１画像グループの最前面の画像を表示画面一杯に表示した画面表示と元の第１乃至第３画像グループが表示された画面表示とをアニメーション表示により切り替える画像表示切替手段を備えることを特徴とする請求項１に記載の画像表示装置
【請求項８】
前記画像表示切替手段は、前記第５操作ボタンが所定時間押し続けられることにより、少なくとも画像グループ名及び画像ファイル名を、表示して検索するための操作メニュー画面を表示することを特徴とする請求項７に記載の画像表示装置。
【請求項９】
予め記憶された複数の画像をボタン又はポインティングディバイスにより操作して選択表示する表示画像操作手段と、
複数の画像を前面から後面へと衝立状に配置した中央の第１画像グループと、複数の画像を前面から後面へと衝立状に配置しその一部が表示されるように該第１の画像グループの両側に所定の間隔で配置した第２及び第３画像グループと、を同一表示画面上に遠近法を用いて３次元的に表示すると共に、前記第１画像グループの上下に所定の間隔で配置した第４及び第５画像グループを同一表示画面上に遠近法を用いて３次元的にメニュー構成に応じて適宜表示する画像表示手段と、を備えることを特徴とする画像表示装置。
【請求項１０】
前記画像グループが３次元的に表示される表示画面の一部に、個々の画像を操作するための画像グループを選択して特定するカテゴリ選択メニューを表示し、選択された当該画像グループを中央の第１画像グループとして表示するカテゴリ選択手段を備えることを特徴とする請求項９に記載の画像表示装置。
【請求項１１】
複数の画像を選択操作するための操作ボタンが十字状に４つ配置され、左又は右操作ボタンの操作により前記第１画像グループを左側又は右側の位置にアニメーション表示により移動して新たな第２又は第３画像グループとして表示し、前記第２又は第３画像グループを中央の位置にアニメーション表示により移動して新たな第１画像グループとして表示すると共に、前記カテゴリ選択メニュー中の選択された当該画像グループに対応するカテゴリ表示欄をハイライト表示する画像グループ移動手段を備えることを特徴とする請求項１０に記載の画像表示装置。
【請求項１２】
複数の画像を選択操作するための操作ボタンが十字状に４つ配置され、上又は下操作ボタンの操作により前記第１画像グループを上側又は下側の位置にアニメーション表示により移動して新たな第４又は第５画像グループとして表示し、前記第４又は第５画像グループを中央の位置にアニメーション表示により移動して新たな第１画像グループとして表示すると共に、前記カテゴリ選択メニュー中の選択された当該画像グループに対応するカテゴリ表示欄をハイライト表示する画像グループ移動手段を備えることを特徴とする請求項１０に記載の画像表示装置。
【請求項１３】
複数の画像を選択操作するための十字状に配置された４つの操作ボタンの中央に第５操作ボタンが設けられ、該中央の第５操作ボタンの操作によって前記カテゴリ選択メニューをアニメーション表示により表示画面から非表示にすると共に、前記第１画像グループの最前面に表示された画像に関連する説明画面を前記第１乃至第３画像グループの表示に重ねて表示画面中央に表示する説明画面表示手段を備えることを特徴とする請求項１０に記載の画像表示装置。
【請求項１４】
前記説明画面表示手段の説明画面表示状態において、前記第５操作ボタンの操作によって前記説明画面及び前記第１乃至第３画像グループを表示画面から非表示にすると共に、前記第１画像グループの最前面に表示された画像に関連するビデオ映像を表示画面一杯に表示するビデオ映像表示手段を備えることを特徴とする請求項１３に記載の画像表示装置
【請求項１５】
画像表示に伴う操作のための第６操作ボタンが設けられ、該第６操作ボタンの操作によって前記第１画像グループの最前面に表示された画像に関する操作メニューを前記第１乃至第３画像グループの表示に重ねて表示画面の一部に表示する操作メニュー表示手段を備えることを特徴とする請求項１０に記載の画像表示装置。
【請求項１６】
装置本体に記憶された全てのデジタル画像データ中から、前記同一表示画面に３次元的に表示される画像グループの画像データを含む画像データの一部をハードウェアデコーダによりワークエリアのメモリに展開し、該ワークエリアのメモリ中に展開された画像データから３次元描画エンジンにより前記表示画面を構成する画像メモリに展開して描画し表示する画像データデコード手段を備えることを特徴とする請求項１又は９に記載の画像表示装置。
【請求項１７】
前記画像データデコード手段は、前記表示画面を構成する画像メモリに展開される画像データをワークエリアのメモリに展開する際に、前記表示画像操作手段で操作されて次に表示される画像部分の画像データを先読みによりメモリに展開することを特徴とする請求項１６に記載の画像表示装置。
【請求項１８】
表示画面中のそれぞれの画像の上、下、左、右の中いずれか又は複数の縁に、画像を特定するための色又は記号により識別可能なブックマーク機能を付加するブックマーク付加手段を備えることを特徴とする請求項１又は９に記載の画像表示装置。
【請求項１９】
前記画像表示手段で３次元的に表示され前面から後面へと配置される複数からなる画像は、前面から後面にかけてコントラストが下げられて表示されることを特徴とする請求項１又は９に記載の画像表示装置。
【請求項２０】
前記表示画像操作手段の操作は、装置本体又は装置本体と赤外線又は電磁波を用いた無線通信により接続される遠隔操作装置のボタン又はポインティングディバイスにより行われることを特徴とする請求項１又は９に記載の画像表示装置。
【発明の詳細な説明】
【技術分野】
【０００１】
本発明は、画像表示装置に関するもので、詳しくは電子機器内に蓄積された多数の画像をその表示画面上で３次元的に配置して表示する画像表示装置に関するものである。
【背景技術】
【０００２】
多数の画像データをコンピュータの表示画面に表示する際に、そのインデックス表示或いは一覧表示として画像を縮小し複数表示するサムネイル（Ｔｈｕｍｂｎａｉｌ）表示が一般的に用いられており、種々のアプリケーションで多用されている。デジタルカメラや携帯電話の他、携帯用の音楽プレイヤに内蔵された画像表示装置、さらにはＤＶＤ（Ｄｉｇｉｔａｌ  Ｖｅｒｓａｔｉｌｅ  Ｄｉｓｃ）プレイヤ等からテレビモニタに表示する際にも、４分割、９分割、或いは１６分割等により画像を表示画面上にサムネイル表示するものが多い。【０００３】
このような画像表示装置を内蔵する一般的なデジタルカメラの構成を図１０に示す。
デジタルカメラ１００は、各種操作を行う入力操作部１１１や撮影した画像を表示するＬＣＤ（液晶ディスプレイ）表示部１１２を備えており、ＣＣＤ（電荷結合素子）やＣＭＯＳ（相補型金属酸化膜半導体）等の撮像素子１０２にレンズ部１０１で集光した景色等の画像を取り込み撮像部１０３で信号処理してデジタルデータに変換する。デジタルデータに変換された画像データは、デジタルカメラ１００に内蔵されたＦｌａｓｈメモリ等の不揮発性メモリ（図示せず）やカードインタフェース部１０５を介して外部のメモリカード１０６に保存されるが、その際、画像処理部１０４によりＪＰＥＧ（Ｊｏｉｎｔ  Ｐｈｏｔｏｇｒａｐｈｉｃ  Ｅｘｐｅｒｔｓ  Ｇｒｏｕｐ）等に画像圧縮（エンコード）されて保存される。画像処理部１０４はハードウェアエンジンにより構成されたコーデック（ＣＯＤＥＣ：データの圧縮符号化及び復号化処理）機能を有しており、圧縮されて保存された画像データを読み出してＬＣＤ表示部１１２に表示する際の復号（デコード）処理も担っている。デジタルカメラ１００は、上記の処理を司るＣＰＵ（中央演算処理装置）１０８、その処理をプログラムとして記憶しているＲＯＭ（Ｒｅａｄ  Ｏｎｌｙ  Ｍｅｍｏｒｙ）１０９、撮影した画像の処理等に使用するＲＡＭ（Ｒａｎｄｏｍ  Ａｃｃｅｓｓ  Ｍｅｍｏｒｙ）１１０を内蔵しており、レンズ部１０１の焦点操作やズーム機能を実現するための駆動部１０７の他にも、一般のテレビ受像機に表示するためのビデオ映像信号や、ＰＣ（パーソナルコンピュータ）と接続して画像データの送受信を行うＵＳＢ（Ｕｎｉｖｅｒｓａｌ  Ｓｅｒｉａｌ  Ｂｕｓ）等の外部接続用インタフェース１１３を備えている。【０００４】
しかしながら、表示画面サイズに制約のあるデジタルカメラや携帯電話等の携帯用電子機器や画像解像度が粗いテレビ受像機等の表示画面上で複数の画像をサムネイル表示しようとすると、表示画像数に応じてその画像内容を認識することが困難になることから、実際に識別可能な表示画像数を少なくせざるを得ず、本来直観的且つ迅速に検索する目的であったものが、タイトル或いはファイル名一覧のリスト表示により識別する方が速く検索できるという本末転倒の結果になってしまう。【０００５】
上述の問題点を回避するために、サムネイルを単純に平面上に表示するのではなく、サムネイルのファイル束の集合体の一部を重ね合わせて三次元様の立体的に配列して表示するようにしたものが特許文献１に開示されている。【０００６】
【特許文献１】特開２０００−１０５７７２号公報
【発明の開示】
【発明が解決しようとする課題】
【０００７】
特許文献１の表示手法も、画面が小さくなって識別できなくなるという問題点を回避するものではあるが、表示画像に対する操作が複雑であり、直観的な操作という面では問題があった。
そこで、本発明は、多数の画像を衝立状に並べ、遠近法により３次元的に画像を配置することで視覚的且つ直観的な表示画像の操作を可能にした画像表示装置を提供することを目的とする。
【課題を解決するための手段】
【０００８】
上記目的を達成するため、請求項１に係る本発明の画像表示装置は、予め記憶された複数の画像をボタン又はポインティングディバイスにより操作して選択表示する表示画像操作手段と、複数の画像を前面から後面へと衝立状に配置した中央の第１画像グループと、複数の画像を前面から後面へと衝立状に配置しその一部が表示されるように該第１の画像グループの両側に所定の間隔で配置した第２及び第３画像グループと、を同一表示画面上に遠近法を用いて３次元的に表示する画像表示手段と、を備えることを特徴とする。
請求項２に係る発明は、前記第１画像グループの最前面の画像に関連付けされた、少なくとも画像を特定する名称、日付、及び何枚目の画像であるかの画像番号を、表示画面の一部に表示する属性情報表示手段を備えることを特徴とする。
請求項３に係る発明は、複数の画像で構成され中央に配置された前記第１画像グループのグループ名を表示画面の一部に表示するグループ名表示手段を備えることを特徴とする。
請求項４に係る発明は、複数の画像を選択操作するための操作ボタンが十字状に４つ配置され、左又は右操作ボタンの操作により前記第１画像グループを左側又は右側の位置にアニメーション表示により移動して新たな第２又は第３画像グループとして表示し、前記第２又は第３画像グループを中央の位置にアニメーション表示により移動して新たな第１画像グループとして表示する画像グループ移動手段を備えることを特徴とする。
請求項５に係る発明は、複数の画像を選択操作するための操作ボタンが十字状に４つ配置され、上又は下操作ボタンの操作により前記第１乃至第３画像グループのそれぞれの画像を後面から前面又は前面から後面へとアニメーション表示により移動する画像移動手段を備えることを特徴とする。
請求項６に係る発明の前記画像移動手段は、上又は下操作ボタンが押されて所定時間経過後、操作ボタンが押し続けられる間、前記第１乃至第３画像グループのそれぞれの画像を後面から前面又は前面から後面へ自動的に移動することを特徴とする。
請求項７に係る発明は、複数の画像を選択操作するための十字状に配置された４つの操作ボタンの中央に第５操作ボタンが設けられ、該中央の第５操作ボタンの操作によって前記第２及び第３画像グループを非表示にし、前記第１画像グループの最前面の画像を表示画面一杯に表示した画面表示と元の第１乃至第３画像グループが表示された画面表示とをアニメーション表示により切り替える画像表示切替手段を備えることを特徴とする。
請求項８に係る発明の前記画像表示切替手段は、前記第５操作ボタンが所定時間押し続けられることにより、少なくとも画像グループ名及び画像ファイル名を、表示して検索するための操作メニュー画面を表示することを特徴とする。【０００９】
請求項９に係る本発明の画像表示装置は、予め記憶された複数の画像をボタン又はポインティングディバイスにより操作して選択表示する表示画像操作手段と、複数の画像を前面から後面へと衝立状に配置した中央の第１画像グループと、複数の画像を前面から後面へと衝立状に配置しその一部が表示されるように該第１の画像グループの両側に所定の間隔で配置した第２及び第３画像グループと、を同一表示画面上に遠近法を用いて３次元的に表示すると共に、前記第１画像グループの上下に所定の間隔で配置した第４及び第５画像グループを同一表示画面上に遠近法を用いて３次元的にメニュー構成に応じて適宜表示する画像表示手段と、を備えることを特徴とする。
請求項１０に係る発明は、前記画像グループが３次元的に表示される表示画面の一部に、個々の画像を操作するための画像グループを選択して特定するカテゴリ選択メニューを表示し、選択された当該画像グループを中央の第１画像グループとして表示するカテゴリ選択手段を備えることを特徴とする。
請求項１１に係る発明は、複数の画像を選択操作するための操作ボタンが十字状に４つ配置され、左又は右操作ボタンの操作により前記第１画像グループを左側又は右側の位置にアニメーション表示により移動して新たな第２又は第３画像グループとして表示し、前記第２又は第３画像グループを中央の位置にアニメーション表示により移動して新たな第１画像グループとして表示すると共に、前記カテゴリ選択メニュー中の選択された当該画像グループに対応するカテゴリ表示欄をハイライト表示する画像グループ移動手段を備えることを特徴とする。
請求項１２に係る発明は、複数の画像を選択操作するための操作ボタンが十字状に４つ配置され、上又は下操作ボタンの操作により前記第１画像グループを上側又は下側の位置にアニメーション表示により移動して新たな第４又は第５画像グループとして表示し、前記第４又は第５画像グループを中央の位置にアニメーション表示により移動して新たな第１画像グループとして表示すると共に、前記カテゴリ選択メニュー中の選択された当該画像グループに対応するカテゴリ表示欄をハイライト表示する画像グループ移動手段を備えることを特徴とする。
請求項１３に係る発明は、複数の画像を選択操作するための十字状に配置された４つの操作ボタンの中央に第５操作ボタンが設けられ、該中央の第５操作ボタンの操作によって前記カテゴリ選択メニューをアニメーション表示により表示画面から非表示にすると共に、前記第１画像グループの最前面に表示された画像に関連する説明画面を前記第１乃至第３画像グループの表示に重ねて表示画面中央に表示する説明画面表示手段を備えることを特徴とする。
請求項１４に係る発明は、前記説明画面表示手段の説明画面表示状態において、前記第５操作ボタンの操作によって前記説明画面及び前記第１乃至第３画像グループを表示画面から非表示にすると共に、前記第１画像グループの最前面に表示された画像に関連するビデオ映像を表示画面一杯に表示するビデオ映像表示手段を備えることを特徴とする。
請求項１５に係る発明は、画像表示に伴う操作のための第６操作ボタンが設けられ、該第６操作ボタンの操作によって前記第１画像グループの最前面に表示された画像に関する操作メニューを前記第１乃至第３画像グループの表示に重ねて表示画面の一部に表示する操作メニュー表示手段を備えることを特徴とする。【００１０】
請求項１６に係る発明は、装置本体に記憶された全てのデジタル画像データ中から、前記同一表示画面に３次元的に表示される画像グループの画像データを含む画像データの一部をハードウェアデコーダによりワークエリアのメモリに展開し、該ワークエリアのメモリ中に展開された画像データから３次元描画エンジンにより前記表示画面を構成する画像メモリに展開して描画し表示する画像データデコード手段を備えることを特徴とする。
請求項１７に係る発明の前記画像データデコード手段は、前記表示画面を構成する画像メモリに展開される画像データをワークエリアのメモリに展開する際に、前記表示画像操作手段で操作されて次に表示される画像部分の画像データを先読みによりメモリに展開することを特徴とする。
請求項１８に係る発明は、表示画面中のそれぞれの画像の上、下、左、右の中いずれか又は複数の縁に、画像を特定するための色又は記号により識別可能なブックマーク機能を付加するブックマーク付加手段を備えることを特徴とする。
請求項１９に係る発明の前記画像表示手段で３次元的に表示され前面から後面へと配置される複数からなる画像は、前面から後面にかけてコントラストが下げられて表示されることを特徴とする。
請求項２０に係る発明の前記表示画像操作手段の操作は、装置本体又は装置本体と赤外線又は電磁波を用いた無線通信により接続される遠隔操作装置のボタン又はポインティングディバイスにより行われることを特徴とする。
【発明の効果】
【００１１】
本発明によれば、複数の画像を衝立状に配置して立体的に表示することで、表示された画像を操作して目的の画像を見ようとする場合等において、小さな表示画面や解像度の粗い画面上においても、その表示画像を視認できるという利点に加えて、視覚的且つ直観的に画像に関する操作ができるという効果がある。
【図面の簡単な説明】
【００１２】
【図１】本発明の実施例１による画像表示装置の概略図である。
【図２】図１に示す画像表示装置の表示画面の表示例を示す図である。
【図３】図２に示す表示画面の画像グループを右に移動した表示例の図である。
【図４】図２に示す表示画面の画像グループを左に移動した表示例の図である。
【図５】図２に示す表示画面の画像を一つ手前に移動した表示例の図である。
【図６】図２に示す表示画面の一番手前の画像を確定して表示画面一杯に表示した一例を示す図である。
【図７】図１に示す画像表示装置のアプリケーションによる各手段の構成図である。
【図８】図７に示す属性情報の内容例の説明図である。
【図９】図１に示す画像表示装置の表示操作を説明する処理の流れ図である。
【図１０】一般的なデジタルカメラの構成図である。
【図１１】本発明の実施例２による画像表示装置の表示画面の構成図である。
【図１２】図１１に示す画像表示装置の操作部の一例を示す図である。
【図１３】図１１に示す画像表示装置の表示画面の他の構成例を示す図である。
【図１４】図１１に示す表示画面の画像グループを特定した場合の表示画面の構成例を示す図である。
【図１５】図１１に示す画像表示装置の表示画面の表示例を示す図である。
【図１６】図１４に示す表示画面の表示例の図である。
【図１７】図１６に示す表示画面の画像グループの他の表示例の図である。
【図１８】図１７に示す表示画面に画像操作編集メニューを表示した一例を示す図である。
【図１９】図１７に示す表示画面の一番手前の画像を特定して説明画面を表示した一例を示す図である。
【図２０】図１７に示す表示画面の一番手前の画像を確定して表示画面一杯に表示した一例を示す図である。
【図２１】本発明の実施例２による画像表示装置に番組選択欄を表示した一例を示す図である。
【図２２】図２１に示す表示画面で番組を下に移動して選択した表示例の図である。
【図２３】図２１に示す表示画面で番組を左に移動して選択した表示例の図である。
【図２４】図２１に示す表示画面で番組を右に移動して選択した表示例の図である。
【図２５】図２１に示す表示画面で番組を特定して説明画面を表示するまでのアニメーション画面の一例を示す図である。
【図２６】図２１に示す表示画面で番組を特定して説明画面を表示した一例を示す図である。
【図２７】図１８に示す表示画面に表示された画像操作編集メニューの内容例の説明図である。
【図２８】図１１に示す画像表示装置の表示操作を説明する処理の流れ図である。
【図２９】図１及び図１１に示す画像表示装置の表示画面に画像を表示する際の画像デコード処理の説明図である。
【図３０】一般的なＤＶＤレコーダの概略構成図である。
【符号の説明】
【００１３】
１    画像表示装置
２    表示画面
３    操作部
１１    中央制御部
１２    画像情報取込手段
１３    画像情報記憶手段
１４    表示手段
１４ａ    画像表示手段
１５    入力手段
１５ａ    表示画像操作手段
１６    画像処理手段
１６ａ    画像グループ移動手段
１６ｂ    画像移動手段
１６ｃ    画像表示切替手段
１７    属性情報処理手段
１７ａ    属性情報表示手段
１７ｂ    グループ名表示手段
１７ｃ    ブックマーク付加手段
２１    第１画像グループ
２２    第２画像グループ
２３    第３画像グループ
２４    グループ名表示部
２５、４５    属性情報表示部
３１    左操作ボタン
３２    右操作ボタン
３３    上操作ボタン
３４    下操作ボタン
３５    第５操作ボタン（「ＹＥＳ」）
３６    第６操作ボタン（「ＭＥＮＵ」）
３７    第７操作ボタン（「ＮＯ」）
４１    第４画像グループ
４２    第５画像グループ
４３    カテゴリ選択メニュー表示部
４６    サブカテゴリ選択メニュー表示部
１００    デジタルカメラ
１０１    レンズ部
１０２    撮像素子
１０３    撮像部
１０４    画像処理部
１０５    カードインタフェース部
１０６    メモリカード
１０７    駆動部
１０８、２１０    ＣＰＵ
１０９、２１１    ＲＯＭ
１１０、２１２    ＲＡＭ
１１１、２１３    入力操作部
１１２、２１４    ＬＣＤ表示部
１１３、２１５    外部接続用インタフェース
２００    ＤＶＤレコーダ
２０１    モータ
２０２    ＬＤ（レーザダイオード）／ＰＤ（ピックアップデバイス）
２０３    ＨＤＤ
２０４    デジタル映像音声処理部
２０５    アナログ映像音声処理部
２０６    リモートコントロールインタフェース部
２０７    赤外線リモートコントローラ
２０８    モータ駆動部
２０９    レーザ制御部
【発明を実施するための最良の形態】
【００１４】
以下、本発明を実施するための最良の形態について図を参照して説明する。
【実施例１】
【００１５】
図１は、本発明の実施例１による画像表示装置の概略図であり、図２は、画像表示装置の表示画面の一例を示している。
図１に示す画像表示装置１は、携帯型の画像表示装置に適用した一例であり、ＬＣＤ等を用いて表示する表示画面２と複数の操作ボタンからなる操作部３を備えている。
表示画面２には、複数の画像をグループとしてまとめた第１画像グループ２１が中央に配置され、その左右に第２画像グループ２２及び第３画像グループ２３のそれぞれの一部が表示されるように配置されており、これらの第１〜第３画像グループ２１〜２３のそれぞれの画像が前面から後面へと衝立状に配置され、遠近法によりこれらの画像及び画像グループが同一表示画面上で３次元的に表示されている。各画像グループの画像は、前面から後面にかけて、コントラストが下げられて表示されている。
表示画面２に表示される画像を操作する操作部３は、左右上下の４つの操作ボタンが十字状に配置され、その中央に第５操作ボタンが配置されており、これらの操作ボタンは、左操作ボタン３１、右操作ボタン３２、上操作ボタン３３、下操作ボタン３４、及び画像を選択して特定する等に使用される第５操作ボタン３５から構成されている。【００１６】
表示画面２の上部には、「ＦＲＩＥＮＤ（友人）」、「ＷＯＲＫ（仕事）」、「ＦＡＭＩＬＹ（家族）」等のように、中央に表示される第１画像グループ２１のグループ名が表示されるグループ名表示部２４を備えており、また、表示画面２の下部には、「８／１２  ＩＮ−ＨＯＵＳＥ０１．ＪＰＧ  １／２７」等のように、中央に表示される第１画像グループ２１の最前面に表示される画像に関する、撮影日付、画像ファイル名、何枚中の何枚目の画像であるかの画像番号等の属性情報が表示される属性情報表示部２５を備えている。【００１７】
次に、操作部３の操作ボタンの操作と、操作に伴う表示画面２内の表示画像について説明する。
左操作ボタン３１の操作により、表示画面２の左側に表示されていた第２画像グループ２２が更に左に移動して表示画面２から消え去り、中央の第１画像グループが左に移動して新たな第２画像グループとして表示され、右側に表示されていた第３画像グループ２３が中央に移動して新たな第１画像グループ２１として表示され、表示画面２の右端から新たな第３画像グループが出現して表示される。これらの３次元的に表示される表示画像はアニメーション表示により連続的に変化して移動する。画像グループの移動に伴い、グループ名表示部２４に表示されるグループ名も対応するものに変わる。
右操作ボタン３２の操作による表示画面２の画像は、左操作ボタン３１による操作と対称となる操作であり、表示画面中の画像及び画像グループは右移動により行われ、同様の３次元アニメーションにより表示される。【００１８】
図３に示すように、左端にあった画像グループ「ＦＲＩＥＮＤ」を表示する際は、中央の第１画像グループ２１と右の第３画像グループ２３の表示のみとし、該当する第２画像グループ２２がないので非表示とし、以後の左操作ボタン３１による操作を無効としているが、右端の画像グループを左から出現させるループ構成としてもよい。
図４に示すように、右端にあった画像グループ「ＦＡＭＩＬＹ」を表示する場合も、左端の画像グループと同様に、中央の第１画像グループ２１と左の第２画像グループ２２の表示のみとし、該当する第３画像グループ２３がないので非表示とする。左端の画像グループを右から出現させるループ構成としてもよい。【００１９】
上操作ボタン３３の操作により、表示画面２に表示されている第１〜第３画像グループ２１〜２３のそれぞれの最前面の画像が表示画面２から消え去り、図５に示すように、その後ろの画像「８／１２  ＩＮ−ＨＯＵＳＥ０２．ＪＰＧ  ２／２７」が手前に表示され、画像グループそれぞれの画像が一つずつ３次元アニメーション表示により前面に移動する。最後の画像が表示された場合は、以後の上操作ボタン３３による操作を無効としているが、再度最初の画像から表示するループ構成としてもよい。
下操作ボタン３４の操作による場合も、上操作ボタンと同様に構成し、最初の画像が最前面にある場合は、下操作ボタン３４による操作を無効とし、それ以外は第１〜第３画像グループ２１〜２３のそれぞれの画像が一つずつ３次元アニメーション表示により前面に移動する。下操作ボタン３４の操作の際、最初の画像が表示されているときの操作ボタンの操作を無効としているが、最後の画像を最初の画像に続けて表示するループ構成としてもよい。
上操作ボタン３３又は下操作ボタン３４を一定時間押し続けると、各画像グループの画像が後面から前面へ或いは前面から後面へと自動的に順次移動するリピート機能を備えている。上操作ボタン３３又は下操作ボタン３４の押下を解除するとリピート機能は停止し、その時点の画像が表示される。【００２０】
十字状に配置された左右上下の４つの操作ボタンの中央に設けられた第５操作ボタン３５の操作により、第１画像グループ２１の最前面の画像を特定する。その際、第２画像グループ２２及び第３画像グループ２３がアニメーション表示により連続的に変化しながら表示画面から消え去り、図６に示すように、第１画像グループ２１の最前面の画像がアニメーションにより表示画面２一杯に広がり表示される。再度第５操作ボタン３５を操作することで、再び第１画像グループ２１が中央に配置され、第２及び第３画像グループ２２、２３が両側に配置された元の表示画面２が出現する。
第５操作ボタン３５を一定時間押し続けることで、図８に示すような属性情報を含む表示画像に関する操作・編集メニューの画面に切り替わる。【００２１】
図７は、画像表示装置１内のハードウェア或いはソフトウェアアプリケーションの実行により本発明の画像表示を実現する各手段の構成図である。尚、具体的なハードウェア構成については、その説明を省略する。
画像表示装置１は、中央制御部１１により各手段を連携させて上述の画像表示を実現する。画像情報取込手段１２は、デジタルカメラで撮影した画像やＰＣ等で編集されＪＰＥＧ等で圧縮されたデジタル画像データを、画像表示装置１に装着されたメモリカードやＵＳＢ等のインタフェース（共に図示せず）を介し、撮影日やファイル名等の属性情報と共に取り込む手段であり、画像情報記憶手段１３は、取り込まれた画像データを画像表示装置１内のフラッシュメモリやＨＤＤ（ハードディスクドライブ）等の記憶装置（図示せず）に記憶する手段である。【００２２】
表示手段１４は、ＬＥＤ等のインジケータ（図示せず）や操作メニューの他に、表示画面２上に画像を前面から後面へと衝立状に配置して第１〜第３画像グループを形成し、これらの画像及び画像グループを遠近法により３次元的に表示する画像表示手段１４ａを備えている。
入力手段１５は、表示手段１４等の関連する各手段と連携し、十字状に配置された左右上下の操作ボタン３１〜３４及び中央の第５操作ボタン３５の操作により表示画面２上の表示画像を操作する表示画像操作手段１５ａを備えている。【００２３】
画像処理手段１６は、画像情報記憶手段１３により記憶されたＪＰＥＧ等による圧縮（エンコード）画像データを、画像データデコード（復号）手段によりワークエリアのメモリ（ＲＡＭ：Ｒａｎｄｏｍ  Ａｃｃｅｓｓ  Ｍｅｍｏｒｙ）内に展開（デコード）し、３次元描画エンジン（共に図示せず）によって表示画面２の画像メモリ（図示せず）上で３次元画像に展開して描画する手段であり、操作部３の各操作ボタンの操作により３次元描画エンジンを用いたアニメーション表示によって、画像グループ内の画像を後面から前面へ或いは前面から後面へと各画像を移動する画像移動手段１６ｂを有し、第１〜第３画像グループ２１〜２３全体を左又は右に移動する画像グループ移動手段１６ａを備えている。また、画像処理手段１６は、第１画像グループ２１の最前面に表示されている画像が特定されたとき、特定された画像を表示画面２一杯に表示することや元の表示に戻すこと、或いは操作メニュー等の画面に切り替える画像表示切替手段１６ｃを備えている。【００２４】
属性情報処理手段１７は、図８に示すような、表示画面２上の画像の表示位置、表示順序、表示画面２上に表示された画像を特定するための目印となるブックマーク、画像の撮影日時、撮影場所、画像を編集した際の更新日時、画像グループにおける頁番号、画像名としてのファイル名、画像の属するグループ名でもあるフォルダ名、画像サイズ、ＪＰＥＧ、ＧＩＦ（Ｇｒａｐｈｉｃｓ  Ｉｎｔｅｒｃｈａｎｇｅ  Ｆｏｒｍａｔ）、ＴＩＦＦ（Ｔａｇｇｅｄ  Ｉｍａｇｅ  Ｆｉｌｅ  Ｆｏｒｍａｔ）等の画像の種類、・・・等の、画像データに関連付けされて記憶されている各種属性情報を抽出し、これらの属性情報の中から必要な情報を画像処理手段１６等に引き渡してその処理を継続させる。【００２５】
属性情報処理手段１７は、「ＷＯＲＫ」等のように、表示画面２の上部に第１画像グループ２１を形成している画像グループのグループ名を表示するグループ名表示手段１７ｂを有し、「８／１２  ＩＮ−ＨＯＵＳＥ０１．ＪＰＧ  １／２７」等のように、第１画像グループ２１の最前面に表示されている画像に関する、撮影日付、画像ファイル名、頁番号、総頁数等の属性情報を表示する属性情報表示手段１７ａを備えている。また、属性情報処理手段１７は、表示画面２中で表示される画像を利用者が特定しやすいように、画像の左右上下の周囲、縁、角等のいずれか或いは複数個所に、色や記号により識別可能な目印を付加するブックマーク機能を実現するブックマーク付加手段１７ｃを備えている。【００２６】
次に、操作部３の各操作ボタンを用いた表示画面２上の画像操作に伴う処理の流れについて、図９を参照して説明する。
まず、画像情報取込手段１２により、画像データを、グループ名（フォルダ名）や画像名（ファイル名）を含む画像に関する属性情報と共に画像表示装置１に取り込み（ステップＳ１１）、これらの画像及びその属性情報を、画像情報記憶手段１３により画像表示装置１内のフラッシュメモリ等の記憶領域、或いは画像表示装置１に備えられたＨＤＤやメモリカード等の記録媒体に記憶して保存する（ステップＳ１２）。
記憶及び保存された画像データは、属性情報処理手段１７及び画像処理手段１６と連携し、入力手段１５の画像操作処理を受けて、表示手段１４によって表示画面２上に衝立状に配置された画像及びその画像グループが遠近法により３次元的に配置され表示される（ステップＳ１３）。【００２７】
操作部３の左又は右操作ボタン３１、３２の操作によって、画像グループ移動手段１６ａにより表示画面２上の画像グループが左側又は右側にアニメーション表示により移動し（ステップＳ１４）、上又は下操作ボタン３３、３４の操作によって、画像移動手段１６ｂにより表示画面２上の各画像グループの画像が後面から前面へ或いは前面から後面へとアニメーション表示により移動する（ステップＳ１５）。上又は下操作ボタン３３、３４が一定時間押され続けた場合は（ステップＳ１６）、操作ボタンが押され続けている間自動的に画像が後面から前面へ或いは前面から後面へと移動する（ステップＳ１７）。【００２８】
中央の第５操作ボタン３５の操作により中央の第１画像グループ２１の最前面に表示されている画像が特定され、特定された画像がアニメーション表示によって表示画面２一杯に表示される（ステップＳ１８）。このとき、第５操作ボタン３５が一定時間押され続けた場合は（ステップＳ１９）、画像に関する操作・編集用のメニューが画面に表示される（ステップＳ２０）。再度第５操作ボタン３５が押された場合は元の表示に戻る。
【実施例２】
【００２９】
次に、本発明の実施例２としてＤＶＤレコーダを用いてテレビモニタに表示する場合の画像表示装置の一例を説明する。この場合表示部分はテレビモニタを用いているが、画像表示装置のその他の大部分の機能を実現する手段は、ＤＶＤレコーダに内蔵される。【００３０】
先ず、一般のＤＶＤレコードの構成を、図３０の概略構成図を参照して説明する。
ＤＶＤレコーダ２００は、レーザダイオードやピックアップデバイス２０２とディスクを回転させるモータ２０１とを、レーザ制御部２０９やモータ駆動部２０８により制御してディスクへのデータの書き込みと読み出しを行い、そのデジタルデータを処理する光学系のＦＥ（フロントエンド）部と、ＦＥ部のデータの処理及びＦＥ部に処理データを受け渡すＢＥ（バックエンド）部とで構成される。ＤＶＤレコーダの内部で処理されるデータは多岐にわたり、ＣＰＵ２１０、ＲＯＭ２１１、ＲＡＭ２１２は必須のデバイスであり、ＦＥ部等の複数の機能ブロックごとに分散して配置されており、入力操作部２１３からの操作情報に基づきこれらのデバイスが連携し、ＬＣＤ表示部２１４の他、外部接続用インタフェース２１５を介して外部に接続されるテレビモニタにビデオ信号或いはデジタル信号を伝送して表示する等のＤＶＤレコーダ２００としての各種機能を実現する。ＤＶＤレコーダの操作は本体に取り付けられた入力操作部２１３による操作よりは、リモートコントロールインタフェース部２０６を介して赤外線リモートコントローラ２０７等により遠隔操作されて使用される形態が殆どである。【００３１】
ＢＥ部は、デジタル映像や音声を処理するハードウェア構成のコーデックを有するデジタル映像音声処理部２０４を備えており、ＭＰＥＧ（Ｍｏｖｉｎｇ  Ｐｉｃｔｕｒｅｓ  Ｅｘｐｅｒｔｓ  Ｇｒｏｕｐ）２等の動画圧縮符号を用いて映像の圧縮及び復号を行う。エンコードされた圧縮動画データはＨＤＤ２０３に保存され、ＨＤＤ２０３に保存された動画データはＤＶＤに書き込むことが可能である。ＨＤＤ２０３やＤＶＤに書き込まれて保存された圧縮動画データは、デジタル映像音声処理部２０４のコーデックによりデコードされ、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）やＰＡＬ（Ｐｈａｓｅ  Ａｌｔｅｒｎａｔｉｎｇ  ｂｙ  Ｌｉｎｅ）等の方式により外部接続用インタフェース２１５を介してテレビモニタに表示される。
外部接続用インタフェース２１５としては、ビデオ映像の他にもデジタルビデオカメラと接続するＩＥＥＥ１３９４、インターネットや外部ＰＣと接続するＬＡＮ接続機能を備える。
また、ＤＶＤレコーダ２００は、通常テレビチューナ（図示せず）も備えており、アナログ信号を処理するためのアナログ映像音声処理部２０５を備えている。
また、ビデオ映像等の動画像の検索や編集のためや、ＤＶＤに記録されたＪＰＥＧ画像そのものを表示するためにも静止画像用のコーデックを一般的に備えており、ビデオ映像の一部を静止画キャプチャして保存する機能が備わっている。【００３２】
図１１は、本発明の実施例２による画像表示装置の表示画面の構成図であり、図１５はその表示画面の表示例を示し、図１２は、画像表示装置を操作する操作部の一例を示す図である。画像表示装置１の操作は、赤外線リモートコントロール装置（リモートコントローラ）等を用いて行なわれ、図１２に示す操作部３は、このリモートコントローラの画像操作に拘わる操作ボタンの一部を示したものである。リモートコントローラとしては、一般に普及している赤外線リモートコントローラに限らず無線電波を利用したリモートコントロール装置を使用してもよい。
図１１及び図１５に示す画像表示装置１（ＤＶＤレコーダは図示せず）の表示画面２は、携帯端末を想定した実施例１の画像表示装置１よりも画面サイズの大きいＬＣＤやＰＤＰ（Ｐｌａｓｍａ  Ｄｉｓｐｌａｙ  Ｐａｎｅｌ）等の大画面画像モニタに表示することを想定している。【００３３】
表示画面２には、実施例１と同様、各画像が衝立状に配置され、図１３に示すように中央の第１画像グループ２１の両側に第２及び第３画像グループ２２、２３が配置され、これらの画像グループを構成する各画像が前面から後面へと遠近法を用いて３次元的に表示される。実施例２では、左右方向の画像グループに加えて上下方向にも画像グループ４１、４２が配置される。上下方向の画像グループ４１、４２は、カテゴリ（大分類）として区分され、左右方向の画像グループ（２１〜２３）はサブカテゴリ（小分類）として区分される。図１１及び図１５に示すように最左端の画像グループが第１画像グループ２１に該当する場合は、第２画像グループ２２に該当する画像グループが存在しないので非表示としているが、実施例１に記載したのと同様、最右端の画像グループを左から出現させるループ構成とすることも勿論可能である。左右と同様に最上端或いは最下端のカテゴリが選択された場合は第４画像グループ４１或いは第５画像グループ４２が存在しないので非表示とするが、この場合もループ構成とすることも可能である。【００３４】
図１１及び図１５は、ＤＶＤレコーダ及びテレビモニタを画像表示装置１として機能させた場合のＴＯＰ画面をあらわしており、表示画面２の左側に、「番組名」、「ジャンル」、「ユーザ」、「チャンネル」、「視聴状況」等のカテゴリ選択メニュー表示部４３が設けられ、図１２に示す操作部３の操作によって所望の画像を選択して特定するための画像グループのカテゴリ選択ができる（カテゴリ選択手段）。カテゴリ選択メニュー表示部４３で選択されたカテゴリ表示部分はハイライト表示され、どのカテゴリが選択されているかがわかるようになっている。【００３５】
図１２に示す操作部３の各操作ボタンの操作に伴う表示画面２上の画像及び画像グループの３次元的な表示の変化とアニメーションによるその動きと、これらを実現する各手段は、実施例１と同様であるので、詳しい説明は省略し、以降、異なる部分に重きをおいて説明する。
図１１及び図１５のカテゴリ選択メニュー表示部４３が表示されている表示画面２で、操作部２の上下操作ボタン３３、３４を操作することで、表示される画像グループのカテゴリが選択され、第５操作ボタン３５（「ＹＥＳ」）の操作により、例えば「ジャンル」のカテゴリを特定すると、図１４及び図１６に示すような表示画面２になる。【００３６】
図１４及び図１６に示す表示画面２には、「映画」、「ドラマ」、「バラエティー」、「アニメ」、「スポーツ」、「音楽」、「趣味教養」、「ドキュメンタリー」、「ニュース」、「ワイドショー」、「劇場公演」、「福祉」、「その他」等のサブカテゴリの画像グループを選択して特定することができるサブカテゴリ選択メニュー表示部４６が、その下部に設けられている。選択されているサブカテゴリ名の表示部分は、ハイライト表示されており、どのサブカテゴリが選択されているかがわかる。図１４及び図１７は、「趣味教養」のサブカテゴリに属する画像グループを選択した場合の表示例である。
サブカテゴリの他の例としては、例えば「チャンネル」のカテゴリの場合は、「ＮＨＫ総合」、「ＮＨＫ教育」、「日本テレビ」、「ＴＢＳ」、「フジテレビ」、「テレビ朝日」、「テレビ東京」等のようなテレビ各局のサブカテゴリが表示される。サブカテゴリの表示は、ロゴマーク等のアイコンで表示される場合もある。また、「ユーザ」カテゴリは、ユーザによって名称等が自由に編集及び定義可能なサブカテゴリが表示される。【００３７】
図１４及び図１６の表示画面２を表示している状態では、操作部３の左右上下の操作ボタン３１〜３４による操作に伴う表示画面２上の画像及び画像グループの３次元的な表示の変化とアニメーションによるその動きは実施例１と同様である。
図１２に示す操作部３は、第５操作ボタン３５（「ＹＥＳ」）、第６操作ボタン３６（「ＭＥＮＵ」）、及び第７操作ボタン３７（「ＮＯ」）の各操作ボタンを備えているが、その動作については、後述の図２８に示す処理の流れ図で説明する。【００３８】
図２１〜図２６は、ＤＶＤレコーダのＥＰＧ（電子番組ガイド）による番組表示欄によって表示画像を特定する際の説明画面である。
図に示すように番組表示の一覧表も３次元的に表示されており、操作部３の左右上下操作ボタン３１〜３４の操作によって番組を選択することができ、その際左右上下操作ボタン３１〜３４の操作に応じて番組一覧表全体が移動し、選択されている番組欄が中央に保持されて表示される。図２１はＥＰＧ選択時の表示画面２であり、図２２が下操作ボタン３４の操作による表示画面２、図２３、図２４がそれぞれ左操作ボタン３１、右操作ボタン３２の操作による表示画面２である。【００３９】
図２５は、左右上下の操作ボタン３１〜３４の操作で番組を選択し、第５操作ボタン３５を操作してその番組を特定した直後のアニメーション表示であり、半回転すると共に表示サイズが大きくなり、図２６に示すような選択及び特定された番組がその裏面に書かれているような説明表示画面に変わる。第５操作ボタン３５（「ＹＥＳ」）により、選択及び特定された番組が表示画面一杯に表示されて動画再生される。第７操作ボタン３７（「ＮＯ」）によって元の番組一覧表示画面に変わる。その際、説明画面表示と逆のアニメーション表示により小さくなり説明表示画面が番組表示欄に収まる。【００４０】
次に、ＤＶＤレコーダ及びテレビモニタに適用した画像表示装置１の表示画面２上の画像操作に伴う処理の流れを、図２８を参照して説明する。
画像表示装置１のＴＯＰ画面では、図１１及び図１５に示すように、カテゴリ選択表示メニュー表示部４３が表示画面２の左部に設けられ、各画像が衝立状に配置されて、これらの画像を含む画像グループが前面から後面へと遠近法を用いて３次元的に表示される（ステップＳ３１）ので、図１２に示す操作部３の上下操作ボタン３３、３４を用いてカテゴリを選択し（ステップＳ３２）、第５操作ボタン３５（「ＹＥＳ」）又は左右操作ボタン３１、３２の操作によって、表示される画像グループのカテゴリを特定する（ステップＳ３３）。【００４１】
カテゴリの特定により、カテゴリ選択メニュー表示部４３が、さらに画面左側にアニメーション表示により移動し、第４、第５画像グループ４１、４２と共に表示画面から消え去り、サブカテゴリ選択メニュー表示部４６が画面下部からアニメーション表示により出現し、図１４及び図１６に示すような表示画面２に変わる。
図１４及び図１６に示すサブカテゴリ選択画面のとき、第７操作ボタン３７（「ＮＯ」）を操作すると、図１１及び図１５から図１４及び図１６に示す画面に切り替わったときと逆のアニメーション表示により、サブカテゴリ選択メニュー表示部４６が画面下部から消え去り、カテゴリ選択メニュー表示部４３が画面左側から出現し、第４、第５画像グループ４１、４２が現れて、図１１及び図１５に示すＴＯＰ画面の元のカテゴリ選択画面（ステップＳ３２）に戻る（ステップＳ３４）。【００４２】
図１４及び図１６に示すサブカテゴリ選択画面では、操作部３の左右操作ボタン３１、３２を用いて、図１７に示すような、第１画像グループ２１として表示されるサブカテゴリを選択し（ステップＳ３７）、上下操作ボタン３３、３４の操作によって表示画面２上の各画像グループのそれぞれの画像を後面から前面へ或いは前面から後面へと移動させ、希望する画像を選択する（ステップＳ３５）。【００４３】
第５操作ボタン３５（「ＹＥＳ」）を操作すると、表示画面２のサブカテゴリ選択メニュー表示部４６がアニメーション表示により下部方向に移動し画面から消え去ると共に、第１〜第３画像グループ２１〜２３に重ねて、図１９に示すような、選択された第１画像グループの最前面の画像に関する解説画面が表示画面２中央に表示される（説明画面表示手段）（ステップＳ３６）。このとき第７操作ボタン３７（「ＮＯ」）を操作すると、解説画面が表示画面２から消え去ると共に、サブカテゴリ選択メニュー表示部４６がアニメーション表示により下部方向から出現し、図１４及び図１７に示す元のサブカテゴリ選択画面に戻る（ステップＳ４０）。【００４４】
図１９に示す解説画面が表示されている表示画面２で、さらに第５操作ボタン３５（「ＹＥＳ」）を操作すると、解説画面で解説されている画像が確定され、図２０に示すようなビデオ映像（動画像）が表示画面２一杯に表示されて再生される（ビデオ映像表示手段）（ステップＳ４１）。ビデオ映像を再生中に第７操作ボタン３７（「ＮＯ」）を操作することで、図１９に示す解説画面が表示された元の表示画面２（ステップＳ３６）に戻る（ステップＳ４３）。ビデオ映像再生中に第６操作ボタン３６（「ＭＥＮＵ」）を操作することで、図１１及び図１５に示すＴＯＰ画面のカテゴリ選択画面（ステップＳ３２）に戻ることができる（ステップＳ４２）。【００４５】
また、図１４及び図１６、図１７に示すサブカテゴリ選択画面では、第６操作ボタン３６（「ＭＥＮＵ」）の操作によって、図１８に示すような画像に関する操作・編集メニューを表示させることができる（ステップＳ３８）。画像に関する操作・編集メニューには、図２７に示すような、解説等のビデオ映像に関する情報、速度や言語等のビデオ映像の再生、ビデオ映像の削除、コピー、番組予約、タイトル名称等の名前変更、ビデオ映像の編集、コピー・削除・編集等ができなくなるようにする保護、ビデオ映像の再生・画像表示等の順序を変更するソート、ビデオ映像・画像の一括削除、・・・等が用意されている。操作編集メニューの各項目は、上下操作ボタン３３、３４の操作により選択でき、第５操作ボタン３５（「ＹＥＳ」）によってメニュー項目を確定する。第７操作ボタン３７（「ＮＯ」）の操作、或いは第６操作ボタン３６（「ＭＥＮＵ」）の再操作によって、図１４及び図１７に示す元のサブカテゴリ選択画面に戻る（ステップＳ３９）。【００４６】
最後に、図２９を参照して、実施例１及び実施例２に共通の画像表示装置の表示画面に画像を表示する際の内部処理について説明する。
各画像グループはフォルダとして定義され、各画像はファイルとして定義される。従ってカテゴリ（大分類）の下位フォルダがサブカテゴリ（小分類）となる。フォルダに対応するグループ、ファイルに対応する各画像は、フラッシュメモリやＨＤＤ内部に保存されるが、実際の画像（静止画像、動画像共に）の管理は、ポインタ或いはテーブルによりアドレス管理されており、表示画面２に表示される画像や画像グループの順序や名称はポインタ或いはテーブル内の移動や変更により対応するので、同一画像が複数の画像グループやカテゴリ、サブカテゴリ中にあっても構わないし、カテゴリやサブカテゴリ、或いは画像名も任意に設定できる。【００４７】
上述してきた３次元表示される表示画面２上の画像は、動画像にも適用可能であるが、ここでは静止画像を前提に説明する。
フォルダ及びファイルに保存される静止画像（ビデオ映像の場合はタイトル部分等を静止画キャプチャして保存）は、ＪＰＥＧ等にエンコードされて圧縮画像データとして保存される。ＪＰＥＧのエンコードはハードウェアエンジンにより行われ、ＪＰＥＧデコード（復号）もハードウェアによって行われる。【００４８】
デコードされた画像データは、ワークエリアのメモリ空間に展開され、メモリ中に展開されたこの画像データを、３次元描画エンジンにより、透明な３次元オブジェクト等にテクスチャとして貼り付け、表示画面２を構成する表示領域の画像メモリ上に展開し、操作に応じてテクスチャの貼り変え等の処理により描画し表示する（画像データデコード手段）。その際、ＪＰＥＧのデコードと共に、３次元描画に関する処理も、表示画面２を構成する画像メモリだけでなく、ワークエリアのメモリ内でも行ない、表示画面２を構成する画像の左右及び上下の表示されていない画像グループも、先読みにより処理しておく。【００４９】
左右上下の操作ボタンの操作で３次元による表示画面２が表示された際に、次に表示される左右上下の表示画面２部分を先読みし処理することで、各操作ボタンの操作の際にストレスなく高速に表示することができるようになる。
３次元描画エンジンは、ハードウェア処理が望ましいが、３次元オブジェクトの形状が複雑でないことや上述の処理により、操作上ストレスがない表示が可能となるので、ソフトウェア処理によるものでも構わない。
【産業上の利用可能性】
【００５０】
本発明の画像表示装置は、デジタルカメラ、携帯電話、携帯音楽プレイヤ、或いは電子手帳や携帯情報端末（ＰＤＡ）、ノートパソコン等の携帯型電子機器の他、カーナビゲーションシステムのような移動体に備え付けられる装置に用いることも可能である。また、テレビ受像機を表示モニタとして使用するＤＶＤプレイヤやＤＶＤレコーダ等、解像度が粗い表示装置に適用する場合にも適しており、その際に表示される画像は、写真やビデオ映像にとどまらず、イラスト、アニメーション等のあらゆる静止画像や動画像に適用することが可能である。また、ビデオ映像をキャプチャし静止画像として３次元表示することを前提として説明してきたが、将来ＣＰＵや画像描画エンジン等の処理能力向上に伴い、動画状態のまま、３次元表示を行うようにしてもよい。
【図１】
2007069471.tif 000003
【図２】
2007069471.tif 000004
【図３】
2007069471.tif 000005
【図４】
2007069471.tif 000006
【図５】
2007069471.tif 000007
【図６】
2007069471.tif 000008
【図７】
2007069471.tif 000009
【図８】
2007069471.tif 000010
【図９】
2007069471.tif 000011
【図１０】
2007069471.tif 000012
【図１１】
2007069471.tif 000013
【図１２】
2007069471.tif 000014
【図１３】
2007069471.tif 000015
【図１４】
2007069471.tif 000016
【図１５】
2007069471.tif 000017
【図１６】
2007069471.tif 000018
【図１７】
2007069471.tif 000019
【図１８】
2007069471.tif 000020
【図１９】
2007069471.tif 000021
【図２０】
2007069471.tif 000022
【図２１】
2007069471.tif 000023
【図２２】
2007069471.tif 000024
【図２３】
2007069471.tif 000025
【図２４】
2007069471.tif 000026
【図２５】
2007069471.tif 000027
【図２６】
2007069471.tif 000028
【図２７】
2007069471.tif 000029
【図２８】
2007069471.tif 000030
【図２９】
2007069471.tif 000031
【図３０】
2007069471.tif 000032
【国際調査報告】
2007069471.tif 000033
2007069471.tif 000034
2007069471.tif 000035
2007069471.tif 000036